(57)【要約】【課題】  オイルフィルタキャップおよびオイルフィルタケースのそれぞれのネジ領域に、排出通路を形成するための溝が形成されている場合であっても、フィルタケースに対してフィルタキャップが緩むことない構造を備える、エレメント交換型フィルタを提供する。【解決手段】  オイルフィルタキャップ１０は、樹脂等から形成される筒状本体部１１と頭部１２とを有している。筒状本体部１１の外周面には、先端部側から頭部１２側に向けて、雄ネジ１３が刻設される雄ネジ領域１００が設けられている。この雄ネジ領域１００には、第１オイル逃がし領域１００Ａ，１００Ｂが設けられ、この第１オイル逃がし領域１００Ａ，１００Ｂは、先端側から雄ネジ１３を横切るように溝が形成された溝形成領域１０１と、頭部１２側において雄ネジ１３を横切らず、雄ネジ１３が連続して存在するネジ残存領域１０２とを含んでいる。【選択図】        図１
2005337172.tif 000002
【特許請求の範囲】
【請求項１】
ケーシングの内部に液体を導入し、内部に収容されたエレメントにより前記ケーシングの内部に導入した液体を濾過し、濾過後の液体を前記ケーシングの外部に導出する、エレメント交換型フィルタであって、
前記ケーシングは、
有底の円筒形状からなり、その外周面には、先端側から底部側に向けて雄ネジが刻設される雄ネジ領域が設けられる第１ケーシングと、
有底の円筒形状からなり、その内周面には、前記第１ケーシングに設けられた雄ネジに螺合可能な雌ネジが刻設される雌ネジ領域が設けられる第２ケーシングと、を有し、
前記雄ネジ領域は、その先端側から軸長方向に延びる略線状の第１液体逃がし領域を有し、この第１液体逃がし領域は、前記雄ネジを横切る溝形成領域と、底部側において前記雄ネジを横切らないネジ残存領域とを含み、
前記雌ネジ領域は、その底部側から軸長方向に延びる略線状の第２液体逃がし領域を有し、この第２液体逃がし領域は、前記雌ネジを横切る溝形成領域を含み、
前記第１ケーシングと前記第２ケーシングとを最大限螺合させた状態から、前記第１ケーシングと前記第２ケーシングとを分離させる方向に回転させた際に、前記第１オイル逃がし溝と第２オイル逃がし溝とが対向配置される位置において、前記ケーシング内に貯留された液体を外部に排出するための排出通路が形成される、エレメント交換型フィルタ。
【請求項２】
前記ネジ残存領域は、
前記雄ネジ領域の前記雄ネジにおいて、少なくとも底部側に最も近い一山を残した領域からなる、請求項１に記載のエレメント交換型フィルタ。
【請求項３】
前記ネジ残存領域に残存する雄ネジは、前記雄ネジの基部側を残存させ、先端部側に溝が形成されている、請求項２に記載のエレメント交換型フィルタ。
【請求項４】
前記第２ケーシングの前記第２液体逃がし領域は、先端部側において前記雌ネジを横切らないネジ残存領域を含む、請求項１から３のいずれかに記載のエレメント交換型フィルタ。
【請求項５】
前記第１ケーシングの溝形成領域の所定位置には、半径方向の内方側に向かう後退領域が設けられる、請求項４に記載のエレメント交換型フィルタ。
【発明の詳細な説明】
【技術分野】
【０００１】
この発明は、エレメントの交換が可能なエレメント交換型フィルタに関する。
【背景技術】
【０００２】
エレメント交換型フィルタの一例として、内燃機関の潤滑油を濾過するための、エレメント交換型オイルフィルタについて説明する。このエレメント交換型オイルフィルタにおいて、ケーシング内部のエレメントを交換する際に、あらかじめケーシング内部に貯留された潤滑油を排出するための機構を備えたエレメント交換型オイルフィルタが、下記特許文献１に開示されている。
【０００３】
この特許文献１に開示されたオイルドレイン方法によれば、オイルフィルタキャップおよびオイルフィルタケースのそれぞれのネジ領域に、軸長さ方向に延びる溝が形成されている。オイル交換時に数回転緩めたオイルフィルタキャップを所定位置にあわせると、両者の溝が対向配置されることによりオイルを排出するための排出通路（オイルドレイン）が形成され、この排出通路から内部に貯留された潤滑油を外部に排出することを可能としている。
【０００４】
ここで、従来、オイルフィルタキャップはアルミ製であったため、ネジ領域に、すべてのネジを横切るような溝が形成される場合であっても、オイルフィルタキャップの母材強度は十分であったため、オイルフィルタキャップをオイルフィルタケースに所定の軸力で締付けた後もネジ強度は十分であり、オイルフィルタキャップが内圧に基づき徐々に緩むという現象（クリープ現象）が生じることはなかった。
【０００５】
しかしながら、近年、エレメント交換型フィルタの軽量化が求められ、オイルフィルタキャップをアルミ製から樹脂製に変更することが検討されている。オイルフィルタキャップを樹脂製に変更し、ネジ領域にすべてのネジを横切るような溝を形成した場合、ネジ山が分断されることになるため、ネジ領域全体としての一体的な強度を得ることができず、ネジ強度が不足することが考えられる。ネジ強度が不足した場合には、オイルフィルタキャップをオイルフィルタケースに所定の軸力で締付けた後に、クリープ現象によりオイルフィルタケースに対してオイルフィルタキャップが徐々に緩み、内部から潤滑油が洩れることが考えられる。
【特許文献１】特開平１０−２０２０１５号公報
【発明の開示】
【発明が解決しようとする課題】
【０００６】
この発明が解決しようとする課題は、エレメント交換型フィルタにおいて、フィルタキャップおよびフィルタケースのそれぞれのネジ領域に、排出通路を形成するための溝が形成されている場合に、フィルタケースに対してフィルタキャップが緩むおそれがあることにある。したがって、この発明は、フィルタキャップおよびフィルタケースのそれぞれのネジ領域に、排出通路を形成するための溝が形成されている場合であても、フィルタケースに対してフィルタキャップが緩むことない構造を備える、エレメント交換型フィルタを提供することにある。
【課題を解決するための手段】
【０００７】
この発明に基づいたエレメント交換型フィルタにおいては、ケーシングの内部に液体を導入し、内部に収容されたエレメントにより上記ケーシングの内部に導入した液体を濾過し、濾過後の液体を上記ケーシングの外部導出する、エレメント交換型フィルタであって、上記ケーシングは、有底の円筒形状からなり、その外周面には、先端側から底部側に向けて雄ネジが刻設される雄ネジ領域が設けられる第１ケーシングと、有底の円筒形状からなり、その内周面には、上記第１ケーシングに設けられた雄ネジに螺合可能な雌ネジが刻設される雌ネジ領域が設けられる第２ケーシングとを有している。
【０００８】
また、上記雄ネジ領域は、その先端側から軸長方向に延びる略線状の第１液体逃がし領域を有し、この第１液体逃がし領域は、上記雄ネジを横切る溝形成領域と、底部側において上記雄ネジを横切らないネジ残存領域とを含み、上記雌ネジ領域は、その底部側から軸長方向に延びる略線状の第２液体逃がし領域を有し、この第２液体逃がし領域は、上記雌ネジを横切る溝形成領域を含み、上記第１ケーシングと第２ケーシングとを最大限螺合させた状態から、上記第１ケーシングと第２ケーシングとを分離させる方向に回転させた際に、上記第１オイル逃がし溝と第２オイル逃がし溝とが対向配置される位置において、上記ケーシング内に貯留された液体を外部に排出するための排出通路を形成する。
【０００９】
また、上記発明の他の形態においては、上記ネジ残存領域は、上記雄ネジ領域の上記雄ネジにおいて、少なくとも底部側に最も近い一山を残した領域から構成されている。また、上記ネジ残存領域に残存する雄ネジは、上記雄ネジの基部側を残存させ、先端部側に溝が形成されている。
【００１０】
また、上記発明の他の形態においては、上記第２ケーシングの上記第２液体逃がし領域は、先端部側において上記雌ネジを横切らないネジ残存領域を含んでいる。また、上記第１ケーシングの溝形成領域の所定位置には、半径方向の内方側に向かう後退領域が設けられている。
【発明の効果】
【００１１】
上記構成からなるエレメント交換型フィルタによれば、第１ケーシングに設けられる第１液体逃がし領域は、雄ネジを横切る溝形成領域と、底部側において雄ネジを横切らないネジ残存領域とを含んでいる。これにより、第１ケーシングの底部側の雄ネジ領域においては、ネジ残存領域が存在することから雄ネジが連続し、第１ケーシングの底部側における雄ネジの強度を向上させることが可能となる。
【００１２】
一般に、ネジの締付け時においては、雄ネジ領域の根元（底側）に形成されるネジ山により締付け軸力の約８〜９割を負担することが知られている。したがって、本発明において、たとえば、ネジ残存領域として、雄ネジ領域の雄ネジを少なくとも底部側に最も近い一山を残した領域から構成することで、底部側における雄ネジの強度を向上させることができ、これによりネジの緩み止めの機能を得ることを可能とする。
【００１３】
その結果、たとえば、第１ケーシングを樹脂製により形成した場合、ネジ領域でのクリープ現象の発生を防止することが可能となり、第２ケーシングに対しする第１ケーシングの緩み発生を防止することが可能となる。これにより、内部から潤滑油が洩れることがなく、エレメント交換型フィルタの信頼性を維持することが可能となる。
【００１４】
また、他の形態によれば、ネジ残存領域に残存する雄ネジは、雄ネジの基部側を残存させ、先端部側に溝が形成される形状とすることで、先端部側の溝で排出通路を形成することを可能としながらも、雄ネジの基部側において、雄ネジの分断を回避していることから、雄ネジ強度の上昇に寄与し、ネジの緩み止めの機能を担保させることも可能としている。
【００１５】
また、他の形態によれば、第２ケーシングの第２液体逃がし領域においても、ネジ残存領域を形成することにより、雄ネジ領域の根元（底側）における雌ネジと雄ネジとの螺合面積が拡大され、ネジの緩み止めの機能をさらに拡大させることを可能とする。また、第２ケーシングに対して第１ケーシング回転させて緩めた場合に、第１ケーシングの溝形成領域の凹部に、第２ケーシングの第２液体逃がし領域に設けられたネジ残存領域を対向させることで、凹部とネジ残存領域との間に所定の空間が確保され、内部のオイルを外部に排出させることが可能となる。
【発明を実施するための最良の形態】
【００１６】
以下、この発明に基づいた各実施の形態におけるエレメント交換型フィルタの構造について、図を参照しながら説明する。なお、各実施の形態の形態において、同一または相当部分については、同一の参照番号を付し、重複する説明は繰り返さないこととする。
【００１７】
（実施の形態１）
まず、この発明に基づいた実施の形態１におけるエレメント交換型フィルタ１Ａの構造について、図１から図４を参照して説明する。なお、図１は、本実施の形態におけるエレメント交換型フィルタ１Ａに用いられるオイルフィルタキャップ１０の構造を示す全体斜視図であり、図２は、本実施の形態におけるエレメント交換型フィルタ１Ａに用いられるオイルフィルタケース２０の構造を示す全体斜視図であり、図３は、本実施の形態におけるエレメント交換型フィルタ１Ａの構造を示す部分拡大断面図であり、（ａ）は、オイルフィルタケース２０にオイルフィルタキャップ１０を最も締付けた状態を示し、（ｂ）は、オイルフィルタキャップ１０を緩めてオイル逃がし領域を形成した状態を示す。また、図４は、オイルフィルタキャップ１０に設けられるオイル逃がし領域に設けられるネジ残存領域の配置パターンを示す模式図である。
【００１８】
本実施の形態におけるエレメント交換型フィルタ１Ａは、ケーシングの内部に内燃機関内を潤滑する液体としての潤滑油を導入し、内部に収容されたオイルエレメントによりケーシングの内部に導入した潤滑油を濾過し、濾過後の潤滑油をケーシングの外部に導出する構成を備え、定期的に、ケーシング内部のオイルエレメントを交換するタイプのオイルフィルタである。ケーシングは、第１ケーシングとしてのオイルフィルタキャップ１０と、第２ケーシングとしてのオイルフィルタケース２０とから構成されている。
【００１９】
（オイルフィルタキャップ１０の構造）
図１を参照して、オイルフィルタキャップ１０は、有底の円筒形状からなる筒状本体部１１と、この筒状本体部１１の底部に位置する領域に設けられる頭部１２とを有している。このオイルフィルタキャップ１０は、樹脂材料から形成されている。筒状本体部１１の外周面の頭部１２側には、リング状の凸部壁７が設けられている。また、筒状本体部１１の外周面には、先端部側から頭部１２側に向けて、雄ネジ１３が刻設される雄ネジ領域１００が設けられている。
【００２０】
この雄ネジ領域１００には、液体逃がし領域として、その先端側から軸長方向に延びる略線状の２つの第１オイル逃がし領域１００Ａ，１００Ｂが設けられている。この第１オイル逃がし領域１００Ａ，１００Ｂは、筒状本体部１１の外周面上において、１８０°対向する位置に設けられている。この第１オイル逃がし領域１００Ａ，１００Ｂは、先端側から雄ネジ１３を横切るように所定幅の溝が形成された溝形成領域１０１と、頭部１２側において雄ネジ１３を横切らず、雄ネジ１３が連続して存在するネジ残存領域１０２とを含んでいる。本実施の形態においては、ネジ残存領域１０２として、頭部１２側から最も近い一山ネジ分を残した領域から構成されている。したがって、頭部１２側から最も近い一山ネジ分については、全周においてネジ山がつながった状態となっている。なお、一山ネジ分だけでなく、頭部１２側から最も近い二山ネジ分または数山ネジ分には溝を設けずにネジ残存領域１０２とし、一周から数週にかけては全周においてネジ山がつながった状態とすることも可能である。
【００２１】
（オイルフィルタケース２０の構造）
次に、図２を参照して、オイルフィルタケース２０は、有底の円筒形状からなる筒状本体部２１と、この筒状本体部２１の底部に位置する領域に設けられる底部２２とを有している。このオイルフィルタケース２０は、アルミ、樹脂材料等から形成されている。筒状本体部２１の内周面には、オイルフィルタキャップ１０に設けられた雄ネジ１３に螺合可能な雌ネジ２３が刻設される雌ネジ領域２００が設けられている。
【００２２】
この雌ネジ領域２００には、液体逃がし領域として、その底部２２側から軸長方向に延びる略線状の２つの第２オイル逃がし領域２００Ａ，２００Ｂが設けられている。この第２オイル逃がし領域２００Ａ，２００Ｂは、筒状本体部２１の内周面上において、１８０°対向する位置に設けられている。この第２オイル逃がし領域２００Ａ，２００Ｂは、雌ネジ２３を全体にわたって横切るように所定幅の溝が形成された溝形成領域２０１を含んでいる。
【００２３】
次に、図３（ａ）を参照して、内部にオイルエレメント５０を内装した状態で、オイルフィルタケース２０にオイルフィルタキャップ１０を最も締付けた状態を示す。凸部壁７と頭部１２側との間によって形成される凹部領域には、内部を機密状態に保持するためのＯリング７０が配設されている。
【００２４】
一般に、ネジの締付け時においては、雄ネジ領域の根元に形成されるネジ山により締付け軸力の８〜９割を負担すること知られている。したがって、本実施の形態におけるオイルフィルタキャップ１０においては、このオイルフィルタキャップ１０の頭部１２側（底部側）の雄ネジ領域１００においては、ネジ残存領域１０２が存在することから、雄ネジ１３が分断されずに連続していることから、雄ネジ領域の根元に形成されるネジ山の強度を向上させることができる。その結果、ネジの緩み止めの機能を得ることができる。
【００２５】
（作用・効果）
以上、本実施の形態におけるエレメント交換型フィルタ１Ａによれば、オイルフィルタキャップ１０に設けられる溝形成領域１０１にネジ残存領域１０２を設けておくことで、ネジの緩み止めの機能を得ることができることから、オイルフィルタキャップ１０をオイルフィルタケース２０に締付けた状態が安定的に維持され、オイルフィルタケース２０に対するオイルフィルタキャップ１０の緩み発生を防止することができる。これにより、内部から潤滑油が洩れることがなく、エレメント交換型フィルタ１Ａの信頼性を維持することが可能となる。
【００２６】
一方、オイルフィルタキャップ１０とオイルフィルタケース２０とを最大限螺合させた状態（図３（ａ）に示す状態）から、ネジを緩めてオイルフィルタキャップ１０とオイルフィルタケース２０とを分離させる方向に回転させ、第１オイル逃がし溝１００Ａ，１００Ｂと第２オイル逃がし溝２００Ａ，２００Ｂとがそれぞれ対向配置される状態（図３（ｂ）に示す状態）になった場合には、第１オイル逃がし溝１００Ａ，１００Ｂと第２オイル逃がし溝２００Ａ，２００Ｂとが対向することにより規定される空間により、ケーシング内に貯留された潤滑油を外部に排出するための排出通路が形成される。
【００２７】
なお、本実施の形態においては、図４（ａ）に示すように、オイルフィルタキャップ１０に２つの第１オイル逃がし領域１００Ａ，１００Ｂを設け、それぞれの領域に、ネジ残存領域１０２を設ける場合について説明したが、図４（ｂ）に示すように、一方の第１オイル逃がし領域１００Ａにのみネジ残存領域１０２を設け、他方の第１オイル逃がし領域１００Ｂにおいては、ネジ残存領域１０２は設けず、雄ネジ領域１００の雄ネジ１３をすべて横切る構成とすることも可能である。
【００２８】
（実施の形態２）
次に、この発明に基づいた実施の形態２におけるエレメント交換型フィルタ１Ｂの構造について、図５から図７を参照して説明する。なお、図５は、本実施の形態におけるエレメント交換型フィルタ１Ｂに用いられるオイルフィルタキャップ１０の構造を示す部分拡大斜視図であり、図６は、本実施の形態におけるエレメント交換型フィルタ１Ｂの構造を示す部分拡大断面図であり、図７は、オイルフィルタキャップ１０に設けられるオイル逃がし領域に設けられるネジ残存領域の配置パターンを示す模式図である。
【００２９】
本実施の形態におけるエレメント交換型フィルタ１は、オイルフィルタキャップ１０の構造に特徴を有している。上記実施の形態１においては、ネジ残存領域１０２として、雄ネジ１３のネジ山をすべて残存させていたが、図５に示すように、本実施の形態におけるネジ残存領域１０２Ａは、雄ネジ１３の基部側を残存させ、先端部側にオイル逃がし領域１０１と同様の所定幅の溝が形成されている。
【００３０】
（作用・効果）
以上、本実施の形態におけるエレメント交換型フィルタ１によっても、上記実施の形態１におけるエレメント交換型フィルタと同様の作用効果を得ることができる。さらに、図６に示すように、先端部側の溝で排出通路を形成することを可能としながらも、雄ネジ１３の基部側において、雄ネジの分断を回避していることから、雄ネジ強度の上昇に寄与し、ネジの緩み止めの機能を担保させることも可能としている。
【００３１】
なお、本実施の形態においても、上記実施の形態１の場合と同様に、ネジ残存領域１０２Ａとして、頭部１２側から最も近い一山ネジ分を残した領域とするだけでなく、頭部１２側から最も近い二山ネジ分または数山ネジ分には溝を設けずにネジ残存領域１０２Ａとすることも可能である。また、図７（ａ）に示すように、オイルドレインの作業性の観点からオイルフィルタキャップ１０に２つの第１オイル逃がし領域１００Ａ，１００Ｂを設け、それぞれの領域に、ネジ残存領域１０２Ａを設ける場合だけでなく、図７（ｂ）に示すように、一方の第１オイル逃がし領域１００Ａにのみネジ残存領域１０２Ａを設け、他方の第１オイル逃がし領域１００Ｂにおいては、ネジ残存領域１０２Ａは設けず、雄ネジ領域１００の雄ネジ１３をすべて横切る構成とすることも可能である。
【００３２】
（実施の形態３）
次に、この発明に基づいた実施の形態３におけるエレメント交換型フィルタ１Ｃの構造について、図８および図９を参照して説明する。なお、図８は、本実施の形態におけるエレメント交換型フィルタ１の構造を示す第１の部分拡大断面図であり、図９は、本実施の形態におけるエレメント交換型フィルタ１Ｃの構造を示す第２の部分拡大断面図である。
【００３３】
本実施の形態におけるエレメント交換型フィルタ１においては、オイルフィルタケース２０の一方の第２オイル逃がし領域２００Ａにおいても、底部２２から雌ネジ２３を横切るように溝が形成された溝形成領域２０１と、先端側において雌ネジ２３を横切らず、雌ネジ２３が連続して存在するネジ残存領域２０２とを含むように構成したものである。他方の第２オイル逃がし領域２００Ｂは、そのままとするか、同様に、ネジ残存領域２０２を設ける構成とするかは、適宜選択されるものである。さらに、オイルフィルタキャップ１０の溝形成領域１０１の所定位置には、筒状本体部１１の半径方向の内方側に向かう後退領域として、凹部１０３が設けられている。なお、この後退領域としては、部分的な凹部だけでなく、筒状本体部１１の先端部側にまで延びるような溝であってもかまわない。
【００３４】
（作用・効果）
以上、本実施の形態におけるエレメント交換型フィルタ１Ｃによっても、上記実施の形態１におけるエレメント交換型フィルタ１Ａと同様の作用効果を得ることができる。さらに、本実施の形態においては、オイルフィルタキャップ１０およびオイルフィルタケース２０の双方のオイル逃がし領域にネジ残存領域を設けていることから、ネジ強度の向上が図られ、さらに緩み止め効果を高めることができる。また、オイルフィルタケース２０に対してオイルフィルタキャップ１０を緩めた場合、第１オイル逃がし溝１００Ａと第２オイル逃がし溝２００Ａとが対向する空間により規定される排出通路が、第２オイル逃がし領域２００Ａに設けられたネジ残存領域２０２により遮られることになるが、所定回数緩めた状態で、ネジ残存領域２０２が対向する位置に凹部１０３を設けておくことで、図９に示すように、凹部１０３とネジ残存領域２０２との間に所定の空間が確保され、内部のオイルを外部に排出させることができる。
【００３５】
なお、上記実施の形態においては、２箇所の排出通路を形成することができるように、１８０°対向する位置に、オイル逃がし溝を設けるようにしたが、オイルフィルタキャップ１０およびオイルフィルタケース２０のそれぞれに、１箇所ずつオイル逃がし溝を設ける構成、または、３以上のオイル逃がし溝を設ける構成の採用も可能である。
【００３６】
また、内燃機関内を潤滑する潤滑油を濾過するためのエレメント交換型フィルタに、本発明を適用した場合について述べたが、同様の機構を有し、液体中に存在する異物を濾過するフィルタに対しても、本発明を適用することが可能である。
【００３７】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３８】
【図１】この発明に基づいた実施の形態１におけるエレメント交換型フィルタに用いられるオイルフィルタキャップの構造を示す全体斜視図である。
【図２】この発明に基づいた実施の形態１におけるエレメント交換型フィルタに用いられるオイルフィルタケースの構造を示す全体斜視図である。
【図３】この発明に基づいた実施の形態１におけるエレメント交換型フィルタの構造を示す部分拡大断面図である。
【図４】この発明に基づいた実施の形態１におけるオイルフィルタキャップに設けられるオイル逃がし領域に設けられるネジ残存領域の配置パターンを示す模式図である。
【図５】この発明に基づいた実施の形態２におけるエレメント交換型フィルタに用いられるオイルフィルタキャップの構造を示す部分拡大斜視図である。
【図６】この発明に基づいた実施の形態２におけるエレメント交換型フィルタの構造を示す部分拡大断面図である。
【図７】この発明に基づいた実施の形態２におけるオイルフィルタキャップに設けられるオイル逃がし領域に設けられるネジ残存領域の配置パターンを示す模式図である。
【図８】実施の形態３におけるエレメント交換型フィルタの構造を示す第１の部分拡大断面図である。
【図９】実施の形態３におけるエレメント交換型フィルタの構造を示す第２の部分拡大断面図である。
【符号の説明】
【００３９】
１Ａ，１Ｂ，１Ｃ  エレメント交換型フィルタ、７  凸部壁、１０  オイルフィルタキャップ、１１  筒状本体部、１２  頭部、１３  雄ネジ、２０  オイルフィルタケース、２１  筒状本体部、２２  底部、２３  雌ネジ、５０  オイルエレメント、７０  Ｏリング、１００  雄ネジ領域、１００Ａ，１００Ｂ  第１オイル逃がし領域、１０１  溝形成領域、１０２，１０２Ａ  ネジ残存領域、１０３  凹部、２００  雌ネジ領域、２００Ａ，２００Ｂ  第２オイル逃がし領域、２０１  溝形成領域、２０２  ネジ残存領域。
【図１】
2005337172.tif 000003
【図２】
2005337172.tif 000004
【図３】
2005337172.tif 000005
【図４】
2005337172.tif 000006
【図５】
2005337172.tif 000007
【図６】
2005337172.tif 000008
【図７】
2005337172.tif 000009
【図８】
2005337172.tif 000010
【図９】
2005337172.tif 000011